(57)【要約】【課題】前壁の外観形状から人工的な印象をなくすことができるようにした護岸ブロックとする。【解決手段】前壁３とこの前壁３の周縁を構成する側壁２とからなる護岸ブロック２において、側壁２の表面の全周に溝４を設けると共に、この溝４の前壁３の表面に近い方の縁部を前壁の表面までにわたり、低強度状態で破砕により割り取りして前壁の輪郭部５を不定形にした。【選択図】図２
2011219995.tif 000002
【特許請求の範囲】
【請求項１】
前壁とこの前壁の周縁を構成する側壁とからなる護岸ブロックにおいて、
側壁の表面の全周に溝を設けると共に、この溝の前壁の表面に近い方の縁部を前壁の表面までにわたり、低強度状態で破砕により割り取りして前壁の輪郭部を不定形にした
ことを特徴とする護岸ブロック。
【請求項２】
前壁の表面を砂地模様にしたことを特徴とする請求項１記載の護岸ブロック。
【請求項３】
前壁の正面形状を矩形状にした請求項１または請求項２記載の護岸ブロックを側壁の相互を接触させて積み上げ、各護岸ブロックの前壁の輪郭部により、各護岸ブロックの前壁の相互間に深目地が形成される護岸。
【請求項４】
請求項１または請求項２記載の護岸ブロックの前壁の表面を成形する底型枠と、この底型枠の周囲に立設して護岸ブロックの側壁を成形する側型枠とからなり、
側型枠の内面に、下面を護岸ブロックの前壁を成形する底型枠側へ向けて、側型枠の内面との間でくさび状のアンダカット部を形成する斜面とした溝型枠を側型枠の全内周面にわたって設けた
ことを特徴とする護岸ブロックの成形型枠装置。
【請求項５】
請求項４記載の護岸ブロックの成形型枠装置において、各側型枠を外側方へ移動可能にした
ことを特徴とする護岸ブロックの成形型枠装置。
【請求項６】
請求項１記載の護岸ブロックの背面を成形する底型枠と、この底型枠の周囲にそれぞれ外側へ移動可能にして立設した護岸ブロックの側壁を成形する側型枠とからなり、
側型枠の内面に、上面を側型枠の上方へ向けて、側型枠の内面との間でくさび状のアンダカット部を形成する斜面とした溝型枠を側型枠の全内周面にわたって設けた
ことを特徴とする護岸ブロックの成形型枠装置。
【請求項７】
請求項４記載の護岸ブロックの成形型枠装置の型内にコンクリートを打設し、このコンクリートの低強度状態で型内のコンクリートを上方へ脱型し、
側型枠の内周面に設けられた溝型枠のアンダカット部に入り込んだコンクリートを無理抜きして、溝型枠の斜面から型内での成形状態の護岸ブロックの前壁の表面にわたる部分を粗い割り面状に破砕するようにした
ことを特徴とする護岸ブロックの成形方法。
【請求項８】
請求項５または請求項６記載の護岸ブロックの成形型枠装置の型内にコンクリートを打設し、このコンクリートの低強度状態で各側型枠を外側方へ移動して開枠し、
側型枠の内周面に設けられた溝型枠のアンダカット部分に入り込んだコンクリートを無理抜きして、溝型枠の斜面から型内での成形状態の護岸ブロックの前壁の表面にわたる部分を粗い割り面状に破砕するようにした
ことを特徴とする護岸ブロックの成形方法。
【発明の詳細な説明】
【技術分野】
【０００１】
本発明は、河川の法面を構築するのに用いる護岸ブロック、これを用いた護岸、護岸ブロックの成形型枠装置、及び護岸ブロックの成形方法に関するものである。
【背景技術】
【０００２】
従来のこの種の護岸ブロックの形状は、これを成形するための型枠の形で一義的に決定されている。そしてその成形面、一般には前面が護岸の表面となるようにして積み重ねることにより護岸を構築するようにしている。
【発明の概要】
【発明が解決しようとする課題】
【０００３】
従来のこの種の護岸ブロックは、上記したように型枠にコンクリートを打設することにより成形されるようになっているため、図１に示すようにこの護岸ブロックａは、護岸の表面となる前壁ｂの表面周縁の輪郭部ｃは直線状になっていて、この前壁ｂの外観形状は人工的な印象を与えている。
【０００４】
このためこのような護岸ブロックにて構築される護岸の表面も、各護岸ブロックの前壁が整然と積み重ねられた状態となり、このときの護岸の表面の様子は、ブロック合端の目地がほとんどないことからも各ブロック単体が分離して見えにくく、１つの大きな平面状の構造物にとらえられ、単調感や圧迫感が伴ってしまうという景観上の問題があった。
【０００５】
本発明は上記のことに鑑みなされたもので、前壁の外観形状から人工的な印象をなくすことができるようにした護岸ブロックと、これを用いて景観上護岸全体から単調感や圧迫感を緩和できるようにした護岸と、さらに前壁の前側の周縁角部を不定形な輪郭線となると共に、前壁の前面に砂地模様を設けて成形できるようにした護岸ブロックの成形型枠装置と、この成形型枠装置を用いた護岸ブロックの成形方法を提供することを目的とするものである。
【課題を解決するための手段】
【０００６】
上記目的を達成するために本発明に係る護岸ブロックは、前壁とこの前壁の周縁を構成する側壁とからなる護岸ブロックにおいて、側壁の表面の全周に溝を設けると共に、この溝の前壁の表面に近い方の縁部を前壁の表面までにわたり、低強度状態で破砕により割り取りして前壁の輪郭部を不定形にした構成になっている。
そしてこの護岸ブロックにおいて、前壁の表面を砂地模様にした。
【０００７】
上記護岸ブロックを用いた護岸は、護岸ブロックを側壁の相互を接触させて積み上げ、各護岸ブロックの前壁の輪郭部により、各護岸ブロックの前壁の相互間に深目地が形成される構成になっている。
【０００８】
上記護岸ブロックを成形する成形型枠装置は、護岸ブロックの前壁の表面を成形する底型枠と、この底型枠の周囲に立設して護岸ブロックの側壁を成形する側型枠とからなり、側型枠の内面に、下面を護岸ブロックの前壁を成形する底型枠側へ向けて、側型枠の内面との間でくさび状のアンダカット部を形成する斜面とした溝型枠を側型枠の全内周面にわたって設けた構成になっている。
そしてこの護岸ブロックの成形型枠装置において、各側型枠を外側方へ移動可能にした。
【０００９】
また、上記護岸ブロックを成形する成形型枠装置は、護岸ブロックの背面を成形する底型枠と、この底型枠の周囲にそれぞれ外側へ移動可能にして立設した護岸ブロックの側壁を成形する側型枠とからなり、側型枠の内面に、上面を側型枠の上方へ向けて、側型枠の内面との間でくさび状のアンダカット部を形成する斜面とした溝型枠を側型枠の全内周面にわたって設けた構成になっている。
【００１０】
さらに上記護岸ブロックを成形する成形方法は、底型枠にて護岸ブロックの前壁の表面を成形する護岸ブロックの成形型枠装置の型内にコンクリートを打設し、このコンクリートの低強度状態で型内のコンクリートを上方へ脱型し、側型枠の内周面に設けられた溝型枠のアンダカット部に入り込んだコンクリートを無理抜きして、溝型枠の斜面から型内での成形状態の護岸ブロックの前壁の表面にわたる部分を粗い割り面状に破砕するようにした。
また、側型枠を底型枠に外側方へ移動可能にして立設してなる護岸ブロックの成形型枠装置の型内にコンクリートを打設し、このコンクリートの低強度状態で各側型枠を外側方へ移動して開枠し、側型枠の内周面に設けられた溝型枠のアンダカット部分に入り込んだコンクリートを無理抜きして、溝型枠の斜面から型内での成形状態の護岸ブロックの前壁の表面にわたる部分を粗い割り面状に破砕するようにした。
【発明の効果】
【００１１】
本発明に係る護岸ブロックによれば、これの前壁の輪郭部を粗い割り面による不定形状になっていることにより、この輪郭部が曖昧な形状となって人工的な印象をやわらげることができる。
さらにこの護岸ブロックの前壁の表面が砂地模様になっていることにより、前壁表面の低明度化が図られて、より一層人工的な感じをやわらげることができる。
【００１２】
上記構成の護岸ブロックにて構築された護岸は、各護岸ブロックの隣接する前壁の相互間に、護岸ブロックの前壁の輪郭部と、この輪郭部より奥側に設けられた溝とにより、輪郭部が曖昧にぼやけた深目地が構成され、この深目地の陰影によって護岸全体の明度を下げることができる。
そして上記深目地によって個々の護岸ブロックの前壁が分離されるため、景観上護岸全体が１枚の板のようには見えにくくなり、圧迫感が低減され、単調感が緩和される。
さらに、各護岸ブロックの前壁の輪郭部に設けられる粗い割り面は、泥やコケといった自然物が付着し、時間の経過と共に風化しやすくなり、護岸全体の景観を自然物化することができる。その上、上記粗い割り面は光の反射を抑えて護岸の照り返し（輝度）を下げることができる。
【００１３】
上記護岸ブロックを成形する本発明に係る成形型枠装置によれば、側型枠に設けた溝型枠により、護岸ブロックの前壁の輪郭部の粗い割り面を無理抜きによって成形できることにより、簡単な型枠装置とすることができる。
【００１４】
そして上記護岸ブロックの成形型枠装置を用いることにより、上記した本発明に係る護岸ブロックを簡単に成形することができる。
【図面の簡単な説明】
【００１５】
【図１】従来の護岸ブロックを示す斜視図である。
【図２】本発明に係る護岸ブロックを示す斜視図である。
【図３】本発明に係る護岸ブロックを示す平面図である。
【図４】本発明に係る護岸ブロックを用いて構築した護岸を概略的に示す斜視図である。
【図５】本発明に係る護岸ブロックを用いての護岸の構築途中を示す斜視図である。
【図６】護岸の目地部を示す拡大正面図である。
【図７】成形型枠装置の第１の実施例のコンクリート打設状態を示す断面図である。
【図８】第１の実施例の開枠状態を示す断面図である。
【図９】成形型枠装置の第２の実施例のコンクリート打設状態を示す断面図である。
【図１０】第２の実施例の開枠状態を示す断面図である。
【図１１】成形型枠装置の第３の実施例のコンクリート打設状態を示す断面図である。
【図１２】第３の実施例の脱型状態を示す断面図である。
【図１３】成形型枠装置の第４の実施例のコンクリート打設状態を示す断面図である。
【図１４】第４の実施例の開枠状態を示す断面図である。
【図１５】成形型枠装置の第５の実施例のコンクリート打設状態を示す断面図である。
【図１６】第５の実施例の開枠状態を示す断面図である。
【発明を実施するための形態】
【００１６】
図２、図３において１は、前面形状を横長の矩形状にした護岸ブロックの一例を示すもので、この護岸ブロック１の側壁２の各表面には、前壁３の表面から近い位置に溝４が全周にわたって設けてある。そしてこの溝４の上記前壁３の表面に近い方の縁部が、前壁３の表面までにわたって破砕により割り取られている。これにより、前壁３の輪郭部５は粗い割り面状態になっている。そしてこの輪郭部５は、溝４の一方の縁を破砕して成形されていることにより、この輪郭部５にて形成される前壁３の表面の幅は側壁２の輪郭線による幅より同じか小さくなっている。
【００１７】
図４は上記構成の護岸ブロック１を用いて、河岸の法面に構築した護岸６を概略的に示すもので、この護岸６は図示しない基礎工上に、上記護岸ブロック１を千鳥状に積み重ねた構成になっている。
【００１８】
この護岸６では、各護岸ブロック１の側壁２の相互が上下、左右に接触して積み重ねられる。そしてこの護岸６においての各護岸ブロック１の前壁３の輪郭部５に粗い割れ面が形成されていて、この部分の幅が側壁２より同じか小さくなっていること、及びこの輪郭部５に連なる溝４が側壁２の全周にわたって設けてあることにより、護岸６を構成する各護岸ブロック１の前壁３の周囲に、輪郭部５が粗い割れ面となる不定形状になった深目地７が形成される。
【００１９】
図５、図６は、上記護岸ブロック１を用いた護岸６の実施状態を示すもので、図５はその構築途中を、図６は目地部を示すものである。護岸ブロック１は図５に示すように基礎工Ａ上に千鳥状に積み上げられる。そしてこのときの護岸ブロック１の前壁３の相互間には、図６に示すような深目地７が形成される。
【００２０】
次に上記構成の護岸ブロック１の成形型枠装置及び成形方法を図７から図１６に基づいて説明する。
【００２１】
（第１の実施例）
図７、図８において８は、第１の実施例を実施するための成形型枠装置で、この成形型枠装置８は護岸ブロック１の前壁３の表面を成形する平面形状が矩形になっている底型枠９と、この底型枠９の四方に位置されて護岸ブロック１の側壁２を成形する側型枠１０とからなっている。そしてこの各側型枠１０の内面に、側壁２に溝４を成形するための溝型枠１１が固着されている。この溝型枠１１の断面形状は図に示すようになっており、底型枠９に近い方の下面１１ａは、これの根元部が先端部より上方へ高くなる斜面となっており、この斜面と側型枠１０の内面との間でくさび形状のアンダカット部が形成されるようになっている。そして形成型枠装置８内にコンクリートを打設したときに、このコンクリートが上記溝型枠１１の下面１１ａの内側に入り込むようになっている。なお、溝型枠１１の上面１１ｂは適当な抜き勾配となる斜面となっている。
【００２２】
この第１の実施例においての成形型枠装置８にあっては、各側型枠１０は底型枠９に対して蝶番１２にて外側方へわたって回動可能になっている。
【００２３】
この第１の実施例において、側型枠１０を閉じた状態で成形型枠装置８内にコンクリートを打設する。これにより図７に示すように、側型枠１０の溝型枠１１のくさび状のアンダカット部内にもコンクリートが充填される。
【００２４】
この状態で上記打設されたコンクリートが低強度状態、例えば打設後２４時間程度経過した状態、すなわちコンクリートが完全に硬化していない状態で、各側型枠１０を蝶番１２を基点に回転して開枠する（図８）。このとき、溝型枠１１も上記蝶番１２を中心に外側へ移動するが、この溝型枠１１の下面１１ａはくさび状にコンクリート内に入り込んでいることにより、この部分のコンクリートは溝型枠１１より無理抜きされ、その際にこの部分が溝型枠１１の下面１１ａにて破砕されて、護岸ブロックの前壁の表面側にわたる部分が外方へ小割り片１３となって割れ落とされる。この小割り片１３となって破砕された後のコンクリート本体側の破砕面は、せん断による割れ肌面となる。
【００２５】
このようにして開枠後の成形型枠装置８の底型枠９上に、上記図２に示したところの前壁３の輪郭部５が割れ面となる不定形状となった護岸ブロック１が成形される。
【００２６】
開枠した成形後の護岸ブロック１は硬化した後に、上方へ吊り上げにより、あるいは横方向へ移動することにより離型する。なお上方へ吊り上げにより離型する場合には、図示しないがコンクリートの打設時に吊り上げ用のフックを埋設しておく。
【００２７】
（第２の実施例）
図９、図１０は第２の実施例を示すもので、この第２の実施例における成形型枠装置８ａは、これの側型枠１０ａが底型枠９ａに対して水平方向外側へ型開きできるようになっている。他の構成は上記した第１の実施例と同じである。
【００２８】
この実施例においても、コンクリートの打設後の低強度状態のときに各側型枠１０ａを開動作することにより、上記第１の実施例と同様に、溝型枠１１の下側に位置するコンクリートが小割片１３となって割り落とされて、上記した護岸ブロック１が成形される（図１０）。
【００２９】
この第２の実施例の場合は、上記第１の実施例と同様の作用により、溝型枠１１の下側部分が無理抜きされて破砕されて小割片１３となって割り落とされ、その跡が破砕面となる。
【００３０】
なお、上記第１・第２の各実施例における各成形型枠装置８，８ａには図示しない型締め装置が備えてあり、これの作動により各成形型枠装置８，８ａの型締め、開枠が行われるようになっている。
【００３１】
（第３の実施例）
図１１、図１２は第３の実施例を示すもので、この第３の実施例における成形型枠装置８ｂは、これの側型枠１０ｂが底型枠９ｂに一体状に固着されており（図１１）、打設後の成形体１５を吊り上げることに脱型するようになっている（図１２）。
【００３２】
この実施例においては、コンクリートの打設後の低強度状態で成形体を吊り上げることにより、溝型枠１１の下側に位置するコンクリートが溝型枠１１の下面１１ａにひっかかって破壊され、小割片１３となって型内に残り、成形体の輪郭部に割れ面が形成された護岸ブロック１が成形される。この実施例の場合、成形型枠装置にコンクリートを打設する際に用いる吊り上げ用のフック１４をあらかじめ埋設しておく。
【００３３】
なお、この各実施例において各成形型枠装置８，８ａ，８ｂに成形される護岸ブロック１は、背面を平板にしたものについて説明したが、図５に示すようにこの背面に必要に応じて脚部を設けるようにしてもよいことはいうまでもない。
【００３４】
上記各実施例での成形時において、各成形型枠装置８，８ａ，８ｂ内にコンクリートを打設する際に、底型枠９，９ａ，９ｂ上に砂を厚さ５０ｍｍ程度敷きつめておくことにより、成形後の護岸ブロック１の前壁３の表面を砂地面とすることができる。この場合の砂の粒度を変えることにより、この前壁３の表面の砂地の表情を変えることができる。そしてこの砂は細かい川砂から目の粗い細骨材が用いられ、成形後護岸ブロック１の前壁表面に付着したもの以外は掻き落として除去する。
【００３５】
上記各実施例において、護岸ブロック１及びこれを成形する型枠の大略の大きさの一例を示すと、図７において前壁３の幅Ｗは３００〜１０００ｍｍ、厚さＤは１００ｍｍ、溝型枠１１の高さ（溝の深さ）ｔは１０〜１５ｍｍ、溝型枠１１の下面の傾斜角θは４５度、溝型枠１１の下面先端の底型枠９，９ａ，９ｂからの高さｈ１は１０〜１５ｍｍ、溝型枠１１の幅ｈ２は３０〜５０ｍｍである。
【００３６】
上記した第１〜第３の実施例にあっては、各成形型枠装置８，８ａ，８ｂの底型枠９，９ａ，９ｂにて護岸コンクリート１の前壁を成形するようにした例を示したが、図１３〜図１６に示す第４・第５の実施例のように、打設コンクリートの上側面を護岸ブロック１の前壁の表面としてもよい。そしてこの場合に、前壁となる打設コンクリートの表面に砂をまぶして砂処理を施している。
【００３７】
（第４の実施例）
図１３、図１４は第４の実施例を示すもので、この第４の実施例における成形型枠装置８ｃは、これの底部分である底型枠が、護岸ブロック１の背面を成形するようになっている。そしてこの底型枠１５の四方に位置されて、側壁２を成形する側型枠１６の内面に、側壁２に溝４を成形するための溝型枠１７が、上記第１〜第３の実施例の場合に対して上下方向で逆向きにて設けてある。すなわち、側型枠１６の上端に近い方の上面が先端側ほど高くなる斜面となっている。そしてこの第４の実施例における側型枠１６は、底型枠１５に対して蝶番１２にて外側方へわたって回動可能になっている。
【００３８】
（第５の実施例）
図１５、図１６は第５の実施例を示すもので、この第５の実施例における成形型枠装置８ｄは、これの側型枠１６ａが底型枠１５ａに対して水平方向外側へ型開きできるようになっている。他の構成は、上記した第４の実施例と同じである。
【００３９】
上記第４・第５の実施例において、側型枠１６，１６ａを閉じた状態のそれぞれの成形型枠装置８ｃ，８ｄ内にコンクリートを打設し、これの上面を均して護岸ブロック１の前壁の前面とする。そしてこのコンクリートが硬化を始める前に、この上面に砂１８を２０〜３０ｍｍにわたって積層する。これにより、この砂１８の一部が未硬化のコンクリート上面にくい込まれ、この護岸ブロック１の前壁の表面となるコンクリート上面が砂面処理される。
【００４０】
ついで成形型枠装置８ｃ，８ｄ内のコンクリートが低強度状態で、それぞれの側型枠１６，１６ａを開枠することにより、側壁の上側部分が溝型枠１７にて破砕されてその跡が、前壁の表面にわたって破砕面となる。
【００４１】
この第４・第５の実施例にあっても上記第１〜第３の実施例と同様に、開枠した成形後の護岸ブロック１は硬化した後に、側面を両側から把持する等により上方へ吊り上げ、あるいは側方へ移動する等により離型する。
【符号の説明】
【００４２】
１…護岸ブロック、２…側壁、３…前壁、４…溝、５…輪郭部、６…護岸、７…深目地、８，８ａ，８ｂ，８ｃ，８ｄ…成形型枠装置、９，９ａ，９ｂ，１５，１５ａ…底型枠、１０，１０ａ，１０ｂ，１６，１６ａ…側型枠、１１、１７…溝型枠、１１ａ…溝型枠の下面、１１ｂ…溝型枠の上面、１２…蝶番、１３…小割片、１４…フック、１８…砂、Ａ…基礎工。
【図１】
2011219995.tif 000003
【図２】
2011219995.tif 000004
【図３】
2011219995.tif 000005
【図４】
2011219995.tif 000006
【図５】
2011219995.tif 000007
【図６】
2011219995.tif 000008
【図７】
2011219995.tif 000009
【図８】
2011219995.tif 000010
【図９】
2011219995.tif 000011
【図１０】
2011219995.tif 000012
【図１１】
2011219995.tif 000013
【図１２】
2011219995.tif 000014
【図１３】
2011219995.tif 000015
【図１４】
2011219995.tif 000016
【図１５】
2011219995.tif 000017
【図１６】
2011219995.tif 000018